(57)【要約】  ユーザ（Ｕ）向けの通知を集中化することを目的とした、通知マネージャ（ＮＭ）のための方法であって、前記通知マネージャ（ＮＭ）が、通信ネットワーク（ＣＮ）内に存在し、かつ第１のコンテンツサーバ（ＣＳ１）および第２のコンテンツサーバ（ＣＳ２）に接続されており、通知マネージャ（ＮＭ）によって実行される、ユーザ（Ｕ）によって操作される第１の通信装置（ＣＥ１）を用いて、第１の通信チャネル（ＣＨ１）を、確立するステップ（３０１）と、第１のコンテンツサーバ（ＣＳ１）からの第１の通知セット（Ｓ１）を、恒常的に収集するステップ（３０３）と、第２のコンテンツサーバ（ＣＳ２）からの第２の通知セット（Ｓ２）を、恒常的に収集するステップ（３０５）と、第１の通知セット（Ｓ１）および第２の通知セット（Ｓ２）を、第１の集約通知セット（ＳＡ１）へと、恒常的に集約するステップ（３０７）と、ユーザＵの通信装置（ＣＥ１）の特性に応じて、第１の集約通知セット（ＳＡ１）を、恒常的に適合化するステップ（３０９）と、第１の集約通知セット（ＳＡ１）を、第１の通信装置（ＣＥ１）へと、恒常的に送信するステップ（３１１）とを含む、方法。
2017517798.tif 000002
【特許請求の範囲】
【請求項１】
ユーザ（Ｕ）向けの通知を集中化することを目的とした、通知マネージャ（ＮＭ）のための方法であって、前記通知マネージャ（ＮＭ）が、通信ネットワーク（ＣＮ）内に存在し、かつ第１のコンテンツサーバ（ＣＳ１）および第２のコンテンツサーバ（ＣＳ２）に接続されており、通知マネージャ（ＮＭ）によって実行される、
−  ユーザ（Ｕ）によって操作される第１の通信装置（ＣＥ１）を用いて、第１の通信チャネル（ＣＨ１）を、確立するステップ（３０１）と、
−  第１のコンテンツサーバ（ＣＳ１）からの第１の通知セット（Ｓ１）を、恒常的に収集するステップ（３０３）と、
−  第２のコンテンツサーバ（ＣＳ２）からの第２の通知セット（Ｓ２）を、恒常的に収集するステップ（３０５）と、
−  第１の通知セット（Ｓ１）および第２の通知セット（Ｓ２）を、第１の集約通知セット（ＳＡ１）へと、恒常的に集約するステップ（３０７）と、
−  ユーザ（Ｕ）の通信装置（ＣＥ１）の特性に応じて、第１の集約通知セット（ＳＡ１）を、恒常的に適合化するステップ（３０９）と、
−  第１の集約通知セット（ＳＡ１）を、第１の通信装置（ＣＥ１）へと、恒常的に送信するステップ（３１１）と
を含む、方法。
【請求項２】
通知マネージャ（ＮＭ）によって実行される、
−  イベント（Ｅ）を含むフィードバックメッセージ（Ｆ）を、第１の通信装置（ＣＥ１）から、受信するステップ（３１７）と、
−  イベント（Ｅ）が第１の通知セット（Ｓ１）からの通知に関連するものであり、第１のコンテンツサーバ（ＣＳ１）に向けられたものであると、決定するステップ（３１９）と、
−  受信したフィードバックメッセージ（Ｆ）を、第１のコンテンツサーバ（ＣＳ１）へと、転送するステップ（３２１）と
をさらに含む、請求項１に記載の方法。
【請求項３】
通知マネージャ（ＮＭ）が、ユーザ（Ｕ）からの第２の通信装置（ＣＥ２）に接続され、前記接続が、第２の通信チャネル（ＣＨ２）によって確立され、前記方法が、第１の集約通知セット（ＳＡ１）を第２の通信装置（ＣＥ２）へと送信するステップをさらに含む、請求項１または２に記載の方法。
【請求項４】
第１の集約通知セット（ＳＡ１）を恒常的に適合化するステップ（３０９）が、前記第１の集約通知セット（ＳＡ１）を、第１の通信装置（ＣＥ１）から第１のウィジェット（Ｗ１）を通じてユーザ（Ｕ）に提供されるようさらに適合化する、請求項１から３のいずれかに記載の方法。
【請求項５】
第１の通信装置（ＣＥ１）により、第１の通知構成を通知マネージャ（ＮＭ）に提供するステップ（３２３）をさらに含む、請求項４に記載の方法。
【請求項６】
ユーザ（Ｕ）によって操作される第１の通信装置（ＣＥ１）のための方法であって、第１の通信装置（ＣＥ１）によって実行される、
−  通知マネージャ（ＮＭ）を用いて、第１の通信チャネル（ＣＨ１）を、確立するステップ（３０１）と、
−  第１の集約通知セット（ＳＡ１）を、通知マネージャ（ＮＭ）から恒常的に受信するステップ（３１１）であって、前記第１の集約通知セット（ＳＡ１）が、第１のコンテンツサーバ（ＣＳ１）からの第１の通知セット（Ｓ１）および第２のコンテンツサーバ（ＣＳ２）からの第２の通知セット（Ｓ２）を含む、受信するステップ（３１１）と
を含む、方法。
【請求項７】
−  受信した第１の集約通知セット（ＳＡ１）からイベント（Ｅ）を決定するステップ（３１５）であって、前記イベント（Ｅ）が、第１のコンテンツサーバ（ＣＳ１）からの第１の通知セット（Ｓ１）に関連したものである、決定するステップ（３１５）と、
−  イベント（Ｅ）を含むフィードバックメッセージ（Ｆ）を、通知マネージャ（ＮＭ）へと送信するステップ（３１７）と
をさらに含む、請求項６に記載の方法。
【請求項８】
受信した第１の集約通知セット（ＳＡ１）を、第１の通信装置（ＣＥ１）から第１のウィジェット（Ｗ１）を通じて、ユーザ（Ｕ）に提供するステップ（３１３）をさらに含む、請求項６または７に記載の方法。
【請求項９】
イベント（Ｅ）が、ユーザ（Ｕ）によって生成（３１３）された対話（ＩＴ）から決定され（３１５）、前記ユーザ（Ｕ）が、第１の通信装置（ＣＥ１）から第１のウィジェット（Ｗ１）と対話する、請求項８に記載の方法。
【請求項１０】
通信ネットワーク（ＣＮ）内に存在し、かつ第１のコンテンツサーバ（ＣＳ１）および第２のコンテンツサーバ（ＣＳ２）に接続されているときに、ユーザ（Ｕ）宛の通知を集中化するための通知マネージャ（ＮＭ）であって、
−  ユーザ（Ｕ）からの第１の通信装置（ＣＥ１）を用いて第１の通信チャネル（ＣＨ１）を確立し、第１の集約通知セット（ＳＡ１）を、第１の通信装置（ＣＥ１）へと恒常的に送信するための、サービスインタフェース（ＩＦ）と、
−  第１のコンテンツサーバ（ＣＳ１）からの第１の通知セット（Ｓ１）および第２のコンテンツサーバ（ＣＳ２）からの第２の通知セット（Ｓ２）を恒常的に収集するための、収集サービス（ＣＬ）と、
−  第１の通知セット（Ｓ１）および第２の通知セット（Ｓ２）を、第１の集約通知セット（ＳＡ１）へと恒常的に集約するための、集約サービス（ＡＧ）と、
−  ユーザ（Ｕ）の通信装置（ＣＥ１）の特性に応じて、第１の集約通知セット（ＳＡ１）を恒常的に適合化するための、適合サービス（ＡＤ）と
を備える、通知マネージャ（ＮＭ）。
【請求項１１】
第１の通信チャネル（ＣＨ１）を確立するためのサービスインタフェース（ＩＦ）が、
−  イベント（Ｅ）を含むフィードバックメッセージ（Ｆ）を、第１の通信装置（ＣＥ１）から受信することと、
−  イベント（Ｅ）が第１の通知セット（Ｓ１）からの通知に関連するものであり、第１のコンテンツサーバ（ＣＳ１）に向けられたものであると決定することと、
−  受信したフィードバックメッセージ（Ｆ）を、第１のコンテンツサーバ（ＣＳ１）へと転送することと
を行うためさらに構成される、請求項１０に記載の通知マネージャ（ＮＭ）。
【請求項１２】
適合サービス（ＡＤ）が、第１の通信装置（ＣＥ１）から第１のウィジェット（Ｗ１）を通じてユーザ（Ｕ）に提供可能となるように、第１の集約通知セット（ＳＡ１）を適合化する手段を含む、請求項１０または１１に記載の通知マネージャ（ＮＭ）。
【請求項１３】
ユーザ（Ｕ）宛の通知を集中化するための、ユーザ（Ｕ）の第１の通信装置（ＣＥ１）であって、
−  通知マネージャ（ＮＭ）を用いて第１の通信チャネル（ＣＨ１）を確立し、第１の集約通知セット（ＳＡ１）を通知マネージャ（ＮＭ）から恒常的に受信するためのデバイスインタフェース（ＩＦＥ）であって、前記第１の集約通知セット（ＳＡ１）が、第１のコンテンツサーバ（ＣＳ１）からの第１の通知セット（Ｓ１）および第２のコンテンツサーバ（ＣＳ２）からの第２の通知セット（Ｓ２）を含む、デバイスインタフェース（ＩＦＥ）と、
−  受信した第１の集約通知セット（ＳＡ１）を、第１の通信装置（ＣＥ１）で動作している第１のウィジェット（Ｗ１）上に表示するための、表示サービス（ＤＩ）と
を備える、第１の通信装置（ＣＥ１）。
【請求項１４】
受信した第１の集約通知セット（ＳＡ１）からイベント（Ｅ）を決定するためのイベント決定デバイス（ＤＥ）であって、前記イベント（Ｅ）が、第１のコンテンツサーバ（ＣＳ１）からの第１の通知セット（Ｓ１）に関連したものである、イベント決定デバイス（ＤＥ）をさらに備える第１の通信装置（ＣＥ１）であって、デバイスインタフェース（ＩＦＥ）が、イベント（Ｅ）を含むメッセージフィードバック（Ｆ）を通知マネージャ（ＮＭ）へと送信するためさらに構成される、請求項１３に記載の第１の通信装置（ＣＥ１）。
【請求項１５】
イベント決定デバイス（ＥＤ）が、第１の通信装置（ＣＥ１）で動作している第１のウィジェット（Ｗ１）を用いたユーザ（Ｕ）の対話（ＩＴ）により、イベント（Ｅ）を決定するようさらに構成される、請求項１４に記載の第１の通信装置（ＣＥ１）。
【発明の詳細な説明】
【技術分野】
【０００１】
本発明は、ユーザが利用可能な複数の通信手段に関するものであり、前記通信手段が前記ユーザ向けの通知を生成する。
【背景技術】
【０００２】
新たなテクノロジ、そして利用者の新たな習慣によって、通信分野はここ数十年にわたり、急激に発展してきた。ボイスメールや自動的な折り返し呼出しなどの機能を提供する従来の電話網において、あるユーザを別のユーザと相互接続するといった新しいサービスが加わった。通信の発展における大きな一歩がモバイルワイヤレス通信であり、これにより、ユーザはたとえ移動中であっても、他者と連絡を取ること、または通信を維持することが可能となる。この一歩は、ショートテキストメッセージの激しいやりとりなど、通信の新たな用途をもたらした。通信の発達におけるもう１つの重要な一歩としてインターネットの台頭があり、通信サービスを利用する大多数の人々の日常生活は、これによって結びつけられた。インターネットからはソーシャルネットワークが登場し、ユーザが交流する新たな方法を生み出している。
【０００３】
通信の各サービスは、それを利用者が制御し使用するための適切な手段を持つのが普通である。サービスが多様であるということは、大抵それぞれ異なったものとなる手段の数も膨らむことを暗示している。こうして数が膨らめば、固定またはモバイルのデバイスを操作して、自身が対話中の通信に関し、その考えられるチャネルすべてを管理することは、ユーザにとって複雑なものとなる。これは特に、それらのチャネルが専用のインタフェースを持つ場合に当てはまる。たとえば、モバイルデバイスのユーザは、不在着信、ソーシャルネットワークの通知を調べる専用ソフトウェアアプリケーション、着信メールをチェックするメールアプリケーション、などを管理するために、専用のインタフェースを操作する必要がある。先行技術には、こうしたチャネルのいくつかをモバイルデバイス上の単一インタフェースへと連合させる方法も存在するが、単一アプリケーションではすべての通信チャネルを集約することが不可能なため、追加のソフトウェアアプリケーションが必須となる。そのうえ、これらのアプリケーション同士は、モバイルデバイスのグラフィカルユーザインタフェース上で完全に重なり合ってしまい、ユーザが自身のデバイスによって提供される別のサービスにアクセスすることの妨げとなる。また、パーソナルコンピュータ、タブレット、またはスマートフォンなど、Ａｎｄｒｏｉｄデバイスのような通信デバイスを複数台、ユーザが常用するということも度々ある。実際の既存の解決策は、デバイスごとの解決策を提供するに過ぎず、各デバイスのソフトウェアアプリケーションをユーザが構成することを必要とし、実用的ではない。
【０００４】
そこで、通知を調べるシームレスかつユビキタスな方法を、ユーザに提供することが求められる。
【発明の概要】
【発明が解決しようとする課題】
【０００５】
本発明の目的は、上で確認した先行技術が持つ欠点のすべて、または一部に対処することである。本発明は特に、ユーザ宛の通知の集中化を可能にする方法を提案する。
【課題を解決するための手段】
【０００６】
本発明の第１の態様は、ユーザ向けの通知を集中化することを目的とした、通知マネージャのための方法であって、前記通知マネージャが、通信ネットワーク内に存在し、かつ第１のコンテンツサーバおよび第２のコンテンツサーバに接続される、方法に関するものである。前記方法は、通知マネージャによって実行される、以下のステップを含む：
【０００７】
−  ユーザによって操作される第１の通信装置を用いて、第１の通信チャネルを、確立するステップ。
【０００８】
−  第１のコンテンツサーバからの第１の通知セットを、恒常的に収集するステップ。
【０００９】
−  第２のコンテンツサーバからの第２の通知セットを、恒常的に収集するステップ。
【００１０】
−  第１の通知セットおよび第２の通知セットを、第１の集約通知セットへと、恒常的に集約するステップ。
【００１１】
−  ユーザの通信装置の特性に応じて、第１の集約通知セットを、恒常的に適合化するステップ。
【００１２】
−  第１の集約通知セットを、第１の通信装置へと、恒常的に送信するステップ。
【００１３】
したがって、これらの特徴により、本方法は、通知マネージャが多様なコンテンツサーバからの通知を集中化することを可能にする。第１の通知セットおよび第２の通知セットを同一の集約通知セットへと集約するステップにより、通知マネージャが、すべての通知を単一のユーザ装置に向けて送信することが可能となる。次いで、同通信装置の特性に応じて、集約通知セットを適合化するステップにより、この集約通知セットが、同単一のユーザ装置によって受信され、活用されることが可能となる。よって、複数台の固定またはモバイルデバイスを操作するユーザは、考えられるすべての通信チャネルを、たとえそれらのチャネルが通常は専用のインタフェースを必要とするものであっても、単一のデバイスを用いて容易に受信および管理することが可能となる。本方法は、異なるコンテンツサーバから通知を収集し、集約するために、通知マネージャに柔軟性を提供する。有利には、本方法は、通知マネージャが各コンテンツサーバと通信する代わりに、統一型機能としての第１の通信装置と協働することを可能にする。
【００１４】
種々の実施形態によれば、こうした方法は、どのような技術的組合せも可能とみなすべき以下の特徴のうち、１つまたは複数を含む：
【００１５】
−  本方法が、通知マネージャによって実行される、以下のステップをさらに含むこと：
イベントを含むフィードバックメッセージを、第１の通信装置から受信するステップ。
イベントが第１の通知セットからの通知に関連するものであり、第１のコンテンツサーバに向けられたものであると決定するステップ。
受信したフィードバックメッセージを、第１のコンテンツサーバへと転送するステップ。
【００１６】
−  通知マネージャが、ユーザからの第２の通信装置に接続され、前記接続が、第２の通信チャネルによって確立され、前記方法が、第１の集約通知セットを第２の通信装置へと送信するステップをさらに含むこと。
【００１７】
−  第１の集約通知セットを恒常的に適合化するステップが、前記第１の集約通知セットを、第１の通信装置から第１のウィジェットを通じてユーザに提供されるようさらに適合化すること。
【００１８】
−  本方法が、第１の通信装置により、第１の通知構成を通知マネージャに提供するステップをさらに含むこと。
【００１９】
本発明の第２の態様は、ユーザによって操作される第１の通信装置のための方法に関するものである。前記方法は、第１の通信装置によって実行される、以下のステップを含む：
【００２０】
−  通知マネージャを用いて、第１の通信チャネルを、確立するステップ。
【００２１】
−  第１の集約通知セットを、通知マネージャから恒常的に受信するステップであって、前記第１の集約通知セットが、第１のコンテンツサーバからの第１の通知セットおよび第２のコンテンツサーバからの第２の通知セットを含む、受信するステップ。
【００２２】
したがって、これらの特徴により、本方法は、第１の通信装置が、通知マネージャを用いて通信チャネルを確立し、多様なコンテンツサーバからの通知を含む第１の集約通知セットを前記通知マネージャから受信することを可能にする。本方法は、第１の通信装置に、異なるコンテンツサーバから通知を受信するための、統一型機能への簡便なアクセスを提供する。よって、第１の通信装置を操作するユーザは、考えられるすべての通信チャネルを、たとえそれらのチャネルが通常は専用のインタフェースを必要とするものであっても、容易に受信および管理することが可能となる。
【００２３】
種々の実施形態によれば、こうした方法は、どのような技術的組合せも可能とみなすべき以下の特徴のうち、１つまたは複数を含む：
【００２４】
−  以下のステップをさらに含む方法：
受信した第１の集約通知セットからイベントを決定するステップであって、前記イベントが、第１のコンテンツサーバからの第１の通知セットに関連したものである、決定するステップ。
イベントを含むフィードバックメッセージを、通知マネージャへと送信するステップ。
【００２５】
−  本方法が、受信した第１の集約通知セットを、第１の通信装置から第１のウィジェットを通じて、ユーザに提供するステップをさらに含むこと。
【００２６】
−  イベントが、ユーザによって生成された対話から決定され、前記ユーザが、第１の通信装置から第１のウィジェットと対話すること。
【００２７】
本発明の第３の態様は、通信ネットワーク内に存在し、かつ第１のコンテンツサーバおよび第２のコンテンツサーバに接続されているときに、ユーザ宛の通知を集中化するための通知マネージャに関するものである。前記通知マネージャは、以下の要素を備える：
【００２８】
−  ユーザからの第１の通信装置を用いて第１の通信チャネルを確立し、第１の集約通知セットを、第１の通信装置へと恒常的に送信するための、サービスインタフェース。
【００２９】
−  第１のコンテンツサーバからの第１の通知セットおよび第２のコンテンツサーバからの第２の通知セットを恒常的に収集するための、収集サービス。
【００３０】
−  第１の通知セットおよび第２の通知セットを、第１の集約通知セットへと恒常的に集約するための、集約サービス。
【００３１】
−  ユーザの通信装置の特性に応じて、第１の集約通知セットを恒常的に適合化するための、適合サービス。
【００３２】
したがって、これらの特徴により、通知マネージャは、いくつかのコンテンツサーバからの通知に関する中央マネージャとなる。収集サービスによって収集された通知セットは、集約サービスによって集約通知セットへと集約される。ユーザの通信装置の特性に応じて、集約通知セットを適合化する適合サービスにより、この集約通知セットが、同単一のユーザ装置によって受信され、活用されることが可能となる。よって、複数台の固定またはモバイルデバイスを操作するユーザは、考えられるすべての通信チャネルを、たとえそれらのチャネルが通常は専用のインタフェースを必要とするものであっても、単一のデバイスを用いて容易に受信および管理することが可能となる。有利には、第１のコンテンツサーバおよび第２のコンテンツサーバから通知を集め、集約通知を第１の通信装置へと送信するための統一型機能を、通知マネージャが提供する。
【００３３】
種々の実施形態によれば、こうした通知マネージャは、どのような技術的組合せも可能とみなすべき以下の特徴のうち、１つまたは複数を含む：
【００３４】
−  第１の通信チャネルを確立するためのサービスインタフェースが、以下の動作のためさらに構成されること：
イベントを含むフィードバックメッセージを、第１の通信装置から受信すること。
イベントが第１の通知セットからの通知に関連するものであり、第１のコンテンツサーバに向けられたものであると決定すること。
受信したフィードバックメッセージを、第１のコンテンツサーバへと転送すること。
【００３５】
−  適合サービスが、第１の通信装置から第１のウィジェットを通じてユーザに提供可能となるように、第１の集約通知セットを適合化する手段を含むこと。
【００３６】
本発明の第４の態様は、ユーザ宛の通知を集中化するための第１の通信装置に関するものである。前記第１の通信装置は、以下の要素を備える：
【００３７】
−  通知マネージャを用いて第１の通信チャネルを確立し、第１の集約通知セットを通知マネージャから恒常的に受信するためのデバイスインタフェースであって、前記第１の集約通知セットが、第１のコンテンツサーバからの第１の通知セットおよび第２のコンテンツサーバからの第２の通知セットを含む、デバイスインタフェース。
【００３８】
−  受信した第１の集約通知セットを、第１の通信装置で動作している第１のウィジェット上に表示するための、表示サービス。
【００３９】
よって、これらの特徴により、第１の通信装置を操作するユーザは、考えられるすべての通信チャネルを、たとえそれらのチャネルが通常は専用のインタフェースを必要とするものであっても、容易に受信および管理することが可能となる。第１のウィジェットにより、最適な視認性を持った前記集約通知の簡便な表示が、第１の通信装置上で可能となる。
【００４０】
種々の実施形態によれば、こうした方法は、どのような技術的組合せも可能とみなすべき以下の特徴のうち、１つまたは複数を含む：
【００４１】
−  受信した第１の集約通知セットからイベントを決定するためのイベント決定デバイスであって、前記イベントが、第１のコンテンツサーバからの第１の通知セットに関連したものである、イベント決定デバイスをさらに備える第１の通信装置であって、デバイスインタフェースが、イベントを含むメッセージフィードバックを通知マネージャへと送信するためさらに構成される、第１の通信装置。
【００４２】
−  イベント決定デバイスが、第１の通信装置で動作している第１のウィジェットを用いたユーザの対話により、イベントを決定するようさらに構成されること。
【００４３】
本発明によるいくつかの実施形態について、添付図面を参照しながら、単なる例証として以下に説明する。
【図面の簡単な説明】
【００４４】
【図１】通知マネージャの一実施形態を含む、通信ネットワークの概略ブロック図である。
【図２】通信装置の一実施形態を含む、通信ネットワークの概略ブロック図である。
【図３】本発明による方法に属する同実施形態において実行されるステップを示すフローチャートである。
【発明を実施するための形態】
【００４５】
別段の断りがない限り、すべての図面上で同一の参照番号は、同一の要素から同型の要素までを表している。
【００４６】
図面および以下の説明は、本発明に関する特定の例示的一実施形態を示すものである。よって、当業者であれば、本明細書において明示的な記述や表示がなくとも、本発明の原理を具現化し本発明の範囲内のものである種々の構成を案出することが可能であることが理解されよう。さらに、本明細書に記述するすべての実施例は、本発明の原理についての理解を助けるためのものであり、そこで具体的に記述されるそのような実施例および条件への限定は伴わないものと解釈されたい。結論づければ、本発明は、以下で説明する特定の実施形態または実施例に限定されるものではない。そのような限定は、特許請求の範囲、およびその均等物によって行われる。
【００４７】
以下の説明において、不要な細目で本発明が不明瞭になるおそれもあるため、当業者によってよく知られている機能や構造については詳述しない。
【００４８】
図１を参照すると、通知マネージャの一実施形態を含む、通信ネットワークの概略ブロック図が描かれている。
【００４９】
本実施形態では、本発明を顕にするため、通信ネットワークＣＮは少数の要素へと簡略化されている。通信ネットワークＣＮは、ユーザが操作するデバイスと別のネットワーク要素（データを送信し情報をシグナリングするノードなど）の間でやりとりされる電子通信を搬送するためのネットワークである。非限定的一実施例では、この通信ネットワークは、インターネットなど、相互接続されたデバイスとネットワーク要素からなるグローバルシステムとなる。別の非限定的実施例では、通信ネットワークＣＮは、インターネットに包含され得る、ワイドエリアネットワーク（ＷＡＮ）となる。
【００５０】
通信ネットワークＣＮには、以下の要素が含まれる：
−  第１のコンテンツサーバＣＳ１
−  第２のコンテンツサーバＣＳ２
−  通知マネージャＮＭ
−  第１のリンクＬ１（第１のコンテンツサーバＣＳ１を通知マネージャＮＭと接続する）
−  第２のリンクＬ２（第２のコンテンツサーバＣＳ２を通知マネージャＮＭと接続する）
−  第１の通信装置ＣＥ１（ユーザＵによって操作される）
−  第２の通信装置ＣＥ１（同ユーザＵによって操作される）
−  第１のチャネルＣＨ１（第１の通信装置ＣＥ１を通知マネージャＮＭと接続する）
−  第２のチャネルＣＨ２（第２の通信装置ＣＥ２を通知マネージャＮＭとインタフェースする）
【００５１】
第１の通信装置ＣＥ１は、ユーザＵによって操作されるデバイスである。第１の通信装置ＣＥ１は通信ネットワークＣＮにアクセスするよう構成されており、前記アクセスは有線または無線によるアクセスとなる。非限定的実施例では、第１の通信装置ＣＥ１は、スマートフォン、タブレット、ラップトップ、または通信機能を持つ任意のパーソナルデバイスとなる。
【００５２】
同様に、第２の通信装置ＣＥ２もユーザＵによって操作されるデバイスである。前記第２の通信装置ＣＥ２もやはり、固定アクセスまたは無線アクセスなど、様々な手段により通信ネットワークＣＮにアクセスするよう構成される。
【００５３】
今日では、接続状態にあるデバイスを複数台所有することは、ユーザにとって普通のことである。たとえば、ユーザＵは、２台のスマートフォン、すなわち、業務用となる第１の通信装置ＣＥ１と、私用となる第２の通信装置ＣＥ２とを所有する可能性がある。また、接続状態にある２台以上のデバイスが同時に併用されることも多々ある。別の非限定的実施例では、ユーザＵが、第１の通信装置ＣＥ１である電子リーダ上で電子文書を調べると同時に、ラップトップを第２の通信装置ＣＥ２として使用してもよい。
【００５４】
第１のコンテンツサーバＣＳ１は、通信ネットワークＣＮにおいてコンテンツをサービスするものである。要求者（ユーザＵなど）は、コンテンツに対する要求を第１のコンテンツサーバＣＳ１宛に送信し、第１のコンテンツサーバＣＳ１はその応答として、指定されたコンテンツをサービスする。指定のコンテンツは、通信ネットワークＣＮの各ネットワーク要素を通じて、要求者へと搬送される。コンテンツが利用可能かどうかは、第１の通知セットＳ１によってシグナリングされる。
【００５５】
非限定的一実施例では、第１のコンテンツサーバＣＳ１は、マルチメディアコンテンツサーバとなる。このサーバは、要求者（ユーザＵなど）にストリーミングビデオを提供するよう構成された、ビデオストリーミングサーバとなり得る。また、第１のコンテンツサーバＣＳ１は、新たに利用可能なビデオストリーミングに関する第１の通知セットＳ１を提供し、第１のコンテンツサーバＣＳ１から新たなコンテンツを取得可能であるということをユーザＵに通知する。
【００５６】
別の非限定的実施例では、第１のコンテンツサーバＣＳ１は、ソーシャルネットワークサービスからのサーバとなる。第１のコンテンツサーバＣＳ１は、ユーザＵ宛の着信メッセージに関する第１の通知セットＳ１を配信する。前記メッセージは、テキストメッセージ、または画像であってよい。着信メッセージに関する第１の通知セットＳ１は、ユーザＵに対し、メッセージの受信箱をチェックすべきであると通告する。第１のコンテンツサーバＣＳ１は、ソーシャルネットワークサービスである、Ｆａｃｅｂｏｏｋからのノードとすることもできる。非限定的一実施例では、前記サーバが、「Ｐｏｋｅ」、メッセージ、または「ｌｉｋｅｓ（いいね！）」の通知に関するサービスを提供する。第１のコンテンツサーバＣＳ１は、ミニブログサービスである、Ｔｗｉｔｔｅｒからのノードとすることもできる。別の非限定的実施例では、前記サーバが、新たな「ツイート」または「リツーイト」の通知や、トレンドといったサービスを提供する。
【００５７】
別の非限定的実施例では、第１のコンテンツサーバＣＳ１は、ボイスオーバＩＰ（ＶｏＩＰ）などのボイスサービスからのノードとなる。第１のコンテンツサーバＣＳ１は、ユーザ（ユーザＵなど）との間のインバウンドおよびアウトバウンドコールを管理するように構成される。また、第１のコンテンツサーバＣＳ１は、音声通話に関する第１の通知セットＳ１を送信する。こうした第１の通知セットＳ１には、たとえば、着信通知が含まれる。第１の通知セットＳ１の後に、その着信に応答しなかったことに対応する不在着信を示す、新たな第１の通知セットＳ１が続いてもよい。次いで、自身のボイスメールで音声メッセージが利用可能であることを通知するために、別の第１の通知セットＳ１がユーザＵへと送信されてもよい。代わりに、第１の通知セットＳ１は、ユーザＵに宛てた単一メッセージの形で、着信通知、対応する不在着信通知、および利用可能なボイスメッセージに関する結果的通知を含むこともできる。
【００５８】
第１のコンテンツサーバＣＳ１と同様に、第２のコンテンツサーバＣＳ２は、要求を受けてコンテンツをサービスするものであり、ユーザＵ宛に、新たな利用可能コンテンツに関する第２の通知セットＳ２を送信する。非限定的一実施例では、第２のコンテンツサーバＣＳ２は、無線通信サービスのプロバイダからのノードとなる。前記ノードは、ショートメッセージサービス（ＳＭＳ）からのショートテキストメッセージ、および／またはマルチメディアメッセージサービス（ＭＭＳ）からのマルチメディアメッセージの配信を担うものとなる。第２のコンテンツサーバＣＳ２は、新たなテキストメッセージまたは新たなマルチメディアメッセージを調べることが可能であるという通知をユーザＵへと送信するため、第２の通知セットＳ２を配信するように構成される。
【００５９】
第１の通知セットＳ１および第２の通知セットＳ２は、それぞれがユーザＵ宛の通知を含んでいる。前記第１の通知セットＳ１および第２の通知セットＳ２は、新規コンテンツの利用可能性をシグナリングするメッセージである。非限定的一実施例では、第１の通知Ｓ１は、ストリーミングされる新たなビデオに関する通知を含んでおり、前記通知には、新規コンテンツおよび新たなビデオの名前に関する標識、または前記新規コンテンツを指し示すリソースリンクが含まれる。別の例示的実施例では、ボイスメールサービス上の新たなボイスメッセージに関し、第２の通知セットＳ２がイベントを含み得る。
【００６０】
通知マネージャＮＭは、通信ネットワークＣＮ上で利用可能なサービスであり、さまざまな発信源からの通知セットを集めるように構成されている。一実施形態では、通知マネージャＮＭは、通信ネットワークＣＮの一部を操作する、サービスプロバイダからの装置となる。別の実施形態では、通知マネージャＮＭは、通信ネットワークＣＮのネットワーク要素上で実行されるソフトウェアモジュールとなる。
【００６１】
通知マネージャＮＭは、第１のコンテンツサーバＣＳ１および第２のコンテンツサーバＣＳ２と、それぞれ第１のリンクＬ１および第２のリンクＬ２を通じてインタフェースしている。
【００６２】
非限定的一実施例では、第１のリンクＬ１は、第１のコンテンツサーバＣＳ１と通知マネージャＮＭの間の物理的接続となる。別の非限定的実施例では、第２のリンクＬ２は、前記通知マネージャＮＭと第２のコンテンツサーバＣＳ２の間の論理的接続となる。
【００６３】
通知マネージャＮＭは、コンテンツサーバ（第１のコンテンツサーバＣＳ１や第２のコンテンツサーバＣＳ２など）と通信するために、種々のプロトコルを扱うことができる。非限定的一実施例では、通知マネージャＮＭは、コンテンツサーバとメッセージをやりとりするためのアプリケーション層インタフェース（ＡＰＩ）を備えている。このようなＡＰＩとしては、Ｆａｃｅｂｏｏｋ  ＡＰＩ、Ｔｗｉｔｔｅｒ  ＡＰＩ、またはユニファイドコミュニケーションによる解決策（ＯｐｅｎＴｏｕｃｈ  ＡＰＩなど）がある。別の非限定的実施例では、通知マネージャＮＭは、追加のＡＰＩとの互換性を付加するための更新への柔軟性を提供する。
【００６４】
通知マネージャＮＭは、第１のコンテンツサーバＣＳ１から、第１の通知セットＳ１を恒常的に収集する。前記通知マネージャＮＭはまた、第２のコンテンツサーバＣＳ２から、第２の通知セットＳ２も恒常的に収集する。
【００６５】
第１の通知セットＳ１および第２の通知セットＳ２の収集は、収集サービスＣＬによって達成される。前記収集サービスＣＬは、非限定的一実施例では通知マネージャＮＭに含まれるデバイス、または別の非限定的実施例では通知マネージャＮＭからのソフトウェアモジュールとなる。
【００６６】
これ以降、収集するという用語は、コンテンツサーバから通知セットを取得することを目的とした、通知マネージャＮＭからの自律的動作のことを意味する。あるいは、これ以降の収集するという用語は、通知マネージャＮＭがコンテンツサーバから通知セットを自動的に受信することを意味する。前記通知マネージャＮＭは前記コンテンツサーバへの問合せを必要としない。
【００６７】
これ以降、恒常的という用語（収集するという用語、または集約するなど他の用語と併用される）は、関連づけられた動作が、時間の経過とともに複数回実行されることを意味する。恒常的という用語に関連づけられた動作は、事前定義されたスケジュールで複数回実行されるか、定期的に複数回実行されるか、または不規則な時間間隔で複数回実行されてよい。
【００６８】
通知マネージャＮＭは、第１の通知セットＳ１や第２の通知セットＳ２など、収集されたすべての通知セットを処理する。前記処理は、集められた第１の通知セットＳ１および第２の通知セットＳ２を第１の集約通知セットＳＡ１へと集約する、集約サービスＡＧを必要とする。
【００６９】
集約サービスＡＧは、通知マネージャＮＭからの機能である。非限定的一実施例では、集約サービスＡＧは、通知マネージャＮＭによって実行されるソフトウェアサービスとなる。別の非限定的実施例では、集約サービスＡＧは、通知マネージャＮＭに含まれるソフトウェアルーチンと協働するハードウェア回路となる。
【００７０】
非限定的一実施例では、集約サービスＡＧは、手が加えられていない、第１の通知セットＳ１および第２の通知セットＳ２の集まりから、第１の集約通知セットＳＡ１を構築する。別の非限定的実施例では、集約サービスＡＧは、収集した通知セットの各々から、有用な情報を抽出する。次いで、前記有用な情報は、第１の集約通知セットＳＡ１へと集約される。
【００７１】
一実施形態では、通知マネージャＮＭによる収集された通知セットの処理には、適合サービスＡＤが必要となる。前記適合サービスＡＤは、ユーザＵによって操作される第１の通信装置ＣＥ１が持つ特性に応じて、第１の集約通知セットＳＡ１をフォーマットするためのサービスである。非限定的実施例では、適合サービスＡＤは、通知マネージャＮＭからのデバイスまたはソフトウェアモジュールとなる。
【００７２】
適合サービスＡＤは、第１の通信装置ＣＥ１が持つディスプレイ、または特徴を最適な形で使用するために、第一の集約通知セットＳＡ１の適合化を担うものである。非限定的一実施例では、第１の通信装置ＣＥ１が、ディスプレイに制限がある小型フォームファクタのモバイルデバイスである場合、適合サービスＡＤは、第１の集約通知セットＳＡ１からの通知に関連づけられたテキストを短縮することができる。別の非限定的実施例では、適合サービスＡＤは、第１の通信装置ＣＥ１が実行可能なソフトウェアアプリケーションに従い、第１の集約通知セットＳＡ１を適合させる。
【００７３】
あるいは、適合サービスＡＤは、集約サービスＡＧと協働して、収集された通知セットを第１の集約通知セットＳＡ１に集約しながら、オンザフライでそれらの通知セットを適合化する。
【００７４】
通知マネージャＮＭは、インタフェースサービスＩＦを備えている。前記インタフェースサービスＩＦは、通知マネージャＮＭを、第１の通信装置ＣＥ１および第２の通信装置ＣＥ２とリンクするように構成されている。また、インタフェースサービスＩＦは、前記第１および第２の通信装置ＣＥ１、ＣＥ２から受信したメッセージを、通知マネージャＮＭからのサービスへと提供する。
【００７５】
通知マネージャＮＭは、ユーザＵからの装置との間のメッセージを、インタフェースサービスＩＦを通じて送受信するように構成されている。この送受信は、それぞれ、第１の通信装置ＣＥ１に対しては第１のチャネルＣＨ１を通じて、第２の通信装置Ｅ２に対しては第２のチャネルＣＨ２を通じて行われる。通知マネージャＮＭは、チャネルＣＨ１を通じて、第１の集約通知セットＳＡ１を、第１の通信装置へと送信する。前記送信は、恒常的に実行される。同様に、通知マネージャＮＭは、第１の集約通知セットＳＡ１を、第２の通信装置ＣＥ２へと送信するように構成されている。
【００７６】
非限定的一実施例では、第１の通信チャネルＣＨ１および第２の通信チャネルＣＨ２は、通知マネージャＮＭを、それぞれ第１の通信装置ＣＥ１および第２の通信装置ＣＥ２と直接的に接続している。別の非限定的実施例では、第１の通信チャネルＣＨ１は、通知マネージャＮＭと第１の通信装置ＣＥ１の間の物理的リンクとなり、第２の通信チャネルＣＨ２は、複数の物理的リンクに担われた、通知マネージャＮＭと第２の通信装置ＣＥ２を接続する論理的リンクとなる。
【００７７】
図２を参照すると、通信装置の一実施形態を含む、通信ネットワークの概略ブロック図が描かれている。
【００７８】
第１の通信装置ＣＥ１は、第１のチャネルＣＨ１を通じて通知マネージャＮＭとやりとりされるメッセージを管理するように構成された、デバイスインタフェースＩＦＥを備えている。この目的に向け、デバイスインタフェースＩＦＥは、第１の集約通知セットＳＡ１などのメッセージを受信し、メッセージを通知マネージャＮＭへと送信するための手段を備える。第１の通信装置ＣＥ１がＡｎｄｒｏｉｄスマートフォンであるような非限定的一実施例では、デバイスインタフェースＩＦＥは、Ａｎｄｒｏｉｄオペレーティングシステムからのソフトウェアモジュールとなる。
【００７９】
第１の通信装置ＣＥ１は、表示サービスＤＩをさらに備えている。表示サービスは、ユーザＵ向けのさまざまな視覚情報を、第１の通信装置ＣＥ１上に表示するよう構成されている。前記視覚情報により、ユーザＵは第１の通信装置ＣＥ１と対話することが可能となる。非限定的一実施例では、第１の通信装置ＣＥ１は、キャンディバー状のフォームファクタを持つフィーチャフォンとなり、表示サービスＤＩがディスプレイスクリーンを操作する。別の非限定的実施例では、第１の通信装置ＣＥ１はタブレットとなり、表示サービスＤＩが触覚ディスプレイスクリーンを操作する。
【００８０】
表示サービスＤＩは、第１のウィジェットＷ１を表示するようにも構成される。前記第１のウィジェットＷ１は、第１の集約通知セットＳＡ１の表示にかかわるグラフィカルインタフェースを提供する、グラフィカルな要素である。第１のウィジェットＷ１は、前記第１の通信装置ＣＥ１のメインディスプレイ上に重なるグラフィカルインタフェースを利用した、ソフトウェアアプリケーションとして、この第１の通信装置ＣＥ１上で動作するものである。第１のウィジェットＷ１の寸法は、サイズ変更が可能であり、第１の通信装置ＣＥ１が表示可能な最大寸法よりも小さいものとなる。第１の通信装置ＣＥ１は、そのメインディスプレイのグラフィカルな要素と、第１のウィジェットＷ１とを、同時に表示するよう構成されている。本明細書では、ウィジェットという用語は、表示されたグラフィカルな要素と、関連づけられたソフトウェアアプリケーションとの組合せを意味する。非限定的実施例では、前記ソフトウェアアプリケーションが、グラフィカルな要素の特性を管理するとともに、ユーザＵが第１のウィジェットＷ１と対話するための手段を提供する。
【００８１】
第１のウィジェットＷ１は、第１の集約通知セットＳＡ１を処理し、表示するように構成されている。第１のウィジェットＷ１による前記処理は、第１の通信装置ＣＥ１のディスプレイ上で、第１の集約通知セットＳＡ１に関する表示を前記第１のウィジェットＷ１に関するグラフィカルな表示の現寸法におさめるために実行される。
【００８２】
第１のウィジェットＷ１は、第１の通知セットＳ１からのおよび第２の通知セットＳ２からの通知の一部または全部がユーザＵにとって利用可能なものとなるように、第１の集約通知セットＳＡ１を表示する手段を備えている。
【００８３】
また、第１のウィジェットＷ１は、ユーザＵが前記第１のウィジェットＷ１を調べるのと並行して、前記ユーザからの対話を受信し、処理することも可能である。第１の通知セットＳ１からのまたは第２の通知セットＳ２からの通知を受けて、ユーザＵは、前記通知に反応して、関連づけられたイベントを開始させることができる。非限定的一実施例では、第１のウィジェットＷ１が第１の集約通知セットＳＡ１を表示する。この第１の集約通知セットＳＡ１には、第１の通信セットＳ１からの、新たに入手可能な電子メールからの通知と、第２の通知セットＳ２からの、ＶｏＩＰの不在着信に関する通知とが含まれる。この実施例では、前記電子メールおよびＶｏＩＰの不在着信は、ユーザＵからの同一連絡者によって発行されたものであり、ユーザＵに対し、第１のウィジェットＷ１と対話することにより、この連絡者に折り返し連絡すべきであると示している。前記動作は、たとえば、ＶｏＩＰ通話を通じて、または連絡者からの電子メールに返信することで、この連絡者と連絡を取るというものになり得る。
【００８４】
第１の集約通知セットＳＡ１からの通知に応答しての、ユーザＵからのこうした考えられ得る動作は、第１の通信装置ＣＥ１上での、より具体的には第１のウィジェットＷ１を用いての、ユーザＵの対話ＩＴによって開始される。非限定的実施例では、この対話ＩＴは、第１のウィジェットＷ１、または第１の通信装置ＣＥ１によって検知される、ジェスチャとなる。別の非限定的実施例では、この対話ＩＴは、音声コマンド、または、第１の通信装置ＣＥ１が持つ物理的または仮想的キーボードからのキー入力の組合せとなり得る。
【００８５】
第１のウィジェットＷ１には、対話ＩＴを処理し、それをイベント決定デバイスＥＤへと転送する手段が含まれている。さらに、前記イベント決定デバイスＥＤは、対話ＩＴに対応するイベントＥを決定するために、同対話を処理する。イベント決定デバイスＥＤは、第１のウィジェットＷ１によって管理される第１の集約通知セットＳＡ１に関して、対話ＩＴを分析する。この分析は、ユーザＵが対話ＩＴを開始したときに、同ユーザの意図に即したイベントＥを確立するために遂行される。非限定的一実施例では、イベント決定デバイスＥＤは、私企業電話サービスからの不在着信の発呼者にかけ直すためのジェスチャのような対話ＩＴを分析する。その後、イベントＥは、ユーザＵと先の発呼者の間に音声通話を確立するための要求であるとして前記通話が決定される。前記通話は、私企業電話サービスによって処理されることになる。
【００８６】
非限定的一実施例では、イベント決定デバイスＥＤは、第１の通信装置ＣＥ１のオペレーティングシステムからのソフトウェアサービス、または、第１のウィジェットＷ１からのソフトウェアモジュールとなる。別の非限定的実施例では、イベントＥは、標準化された通信プロトコルへの参照、またはネットワーク要素向けの固有制御コマンドを含み得る、記述子となる。前記参照またはコマンドは、ユーザＵからの対話ＩＴに対する応答をトリガすることになる。別の非限定的実施例では、イベントＥは、ユーザＵによって生成された対話ＩＴに対応する通知を発行した、第１のコンテンツサーバＣＳ１への参照を含む、記述子となる。
【００８７】
イベントＥはデバイスインタフェースＩＦＥに提供され、そこで前記イベントＥを含むフィードバックメッセージＦが構築される。フィードバックメッセージＦは、イベントＥに対する応答や処理が可能なネットワーク要素に向けられる。デバイスインタフェースＩＦＥは、フィードバックメッセージＦを、第１のチャネルＣＨ１経由で通知マネージャＮＭへと送信する。
【００８８】
通知マネージャＮＭからのインタフェースサービスＩＦは、第１の通信装置ＣＥ１からデバイスインタフェースＩＦＥが送信したフィードバックメッセージＦを受信するように構成される。インタフェースサービスＩＦは、フィードバックメッセージＦを必要に応じて復号し処理することが可能な手段を備えている。非限定的一実施例では、このような処理は、フィードバックメッセージＦの書式分析、および前記書式の修正となり得る。また、このような処理は、イベントＥに含まれる記述子の適合化を目的とした、同イベントＥの抽出ともなり得る。これらの実施例における処理の目的は、フィードバックメッセージＦを、前記メッセージの受信者に対応したものとすることにある。
【００８９】
インタフェースＩＦは、イベントＥがどの通知セットに関連したものかを決定するようにも構成される。非限定的一実施例では、インタフェースＩＦは、イベントＥが、第１のコンテンツサーバＣＳ１からの、第１の通知セットＳ１からの通知に関連したものであると決定する。前記決定により、通知マネージャは、イベントＥを前記第１のコンテンツサーバＣＳ１に関連づけることが可能となる。別の非限定的実施例では、インタフェースＩＦは、別のイベントが第２の通知セットＳ２からの通知に関連したものであり、前記別のイベントを含むメッセージが第２のコンテンツサーバＣＳ２に意図されたものであると決定する。
【００９０】
インタフェースサービスＩＦは、受信したフィードバックメッセージＦを、対話ＩＴを生成したユーザＵが開始した動作の対象とされるネットワーク要素へと転送することができる。本実施形態の記述に関し、対象とされるネットワーク要素とは、ユーザＵからの対話ＩＴに関連した、第１のコンテンツサーバＣＳ１である。第１のコンテンツサーバＣＳ１は、ユーザＵからの動作に応答することが可能である。なお、インタフェースサービスＩＦは、フィードバックメッセージＦの受信後、このメッセージが別のコンテンツサーバ（第２のコンテンツサーバＣＳ２など）宛のイベントＥを含んでいる場合は、同メッセージを前記第２のコンテンツサーバＣＳ２へと転送可能であることに留意されたい。
【００９１】
フィードバックメッセージＦは、インタフェースサービスＩＦによって、通知マネージャＮＭから第１のリンクＬ１経由で第１のコンテンツサーバＣＳ１へと転送される。第１のコンテンツサーバＣＳ１は、フィードバックメッセージＦを受信し、それを処理するように構成されている。第１のコンテンツサーバＣＳ１により、前記フィードバックメッセージＦのコンテンツが分析され、イベントＥが抽出される。次いで、第１のコンテンツサーバＣＳ１は、イベントＥに対応する応答をトリガすることにより、最初の対話ＩＴに応答する。非限定的一実施例では、イベントＥは、ユーザＵと、前記ユーザＵへの連絡を試みた別のユーザとの間における、ＶｏＩＰ通話の確立に関連している。別の非限定的実施例では、第１のコンテンツサーバＣＳ１は、第１の通信装置ＣＥ１上で、ソーシャルメディア機能を開始させる。このとき、イベントＥは対話ＩＴに関連したものであり、前記対話ＩＴは、ユーザＵがソーシャルメディアサービスからの通知に反応することにより、同ユーザＵによって生成されたものである。
【００９２】
図３は、本発明による方法に属する同実施形態において実行されるステップを示すフローチャートを描いたものである。
【００９３】
通知マネージャＮＭは、コンテンツサーバからの通知を集中的に集め、以下のステップに従い、第１の通信装置ＣＥ１と協働する。
【００９４】
ステップ３０１：通知マネージャＮＭおよび第１の通信装置ＣＥ１が、第１の通信チャネルＣＨ１を確立する。ある非限定的実施例では、第１の通信チャネルＣＨ１の確立が第１の通信装置ＣＥ１によって開始される一方、別の非限定的実施例では、通知マネージャＮＭが第１の通信チャネルＣＨ１による接続を開始する。
【００９５】
ステップ３０３：第１のコンテンツサーバＣＳ１が、通知マネージャＮＭによって恒常的に集められた、第１の通知セットＳ１を、恒常的に送信する。収集サービスＣＬが、第１の通知セットＳ１の収集を実行する。
【００９６】
ステップ３０５：通知マネージャＮＭが、第２のコンテンツサーバＣＳ２から、第２の通知セットＳ２を恒常的に収集する。収集サービスＣＬが、第２の通知セットＳ１の前記収集を実行する。
【００９７】
ステップ３０７：収集した第１の通知セットＳ１および第２の通知セットＳ２を用いて、通知マネージャＮＭが、前記通知セットの集約を恒常的に実行する。その結果、第１の集約通知セットＳＡ１が得られる。集約サービスＡＧが、収集した第１の通知セットＳ１および第２の通知セットＳ２の集約を実行する。
【００９８】
ステップ３０９：必要があれば、任意選択の本ステップにおいて、適合サービスＡＤが第１の集約通知セットＳＡ１をフォーマットする。
【００９９】
ステップ３１１：第１の集約通知セットＳＡ１が、第１のチャネルＣＨ１を経由して、第１の通信装置ＣＥ１へと恒常的に送信される。前記送信は、インタフェースサービスＩＦによって達成される。
【０１００】
ステップ３１３：第１の集約通知セットＳＡ１が、第１のウィジェットＷ１を通じてユーザＵに提供される。次いで、ユーザＵが、第１のウィジェットＷ１によって表示された第１の集約通知セットＳＡ１からの通知に応答して、対話ＩＴを生成する。
【０１０１】
ステップ３１５：第１の集約通知セットＳＡ１から、イベントＥが決定される。前記イベントＥは、第１の通知セットＳ１に関連したものである。第１の通信装置ＣＥ１を用いたユーザＵの対話ＩＴから、イベントＥが決定される。イベント決定デバイスＥＤにより、イベントＥが決定される。
【０１０２】
ステップ３１７：イベントＥを含むフィードバックメッセージＦが、第１の通信装置ＣＥ１から通知マネージャＮＭへと送信される。デバイスインタフェースＩＦＥが、前記フィードバックメッセージＦを構築し、それを第１のチャネルＣＨ１経由で送信する。次いで、前記フィードバックメッセージＦが、通知マネージャＮＭにより、そのサービスインタフェースＩＦを通じて受信される。
【０１０３】
ステップ３１９：通知マネージャＮＭに含まれるサービスインタフェースＩＦが、イベントＥを含むフィードバックメッセージＦを処理する。サービスインタフェースＩＦが、前記イベントＥから、それがどのコンテンツサーバ宛のものかを決定する。非限定的一実施例では、サービスインタフェースＩＦが、イベントＥは、第１の通知セットＳ１からの通知に関連したものであると決定する。一実施形態では、必要があれば、通知マネージャＮＭがフィードバックメッセージＦを適合化し、それを第１のリンクＬ１経由で第１のコンテンツサーバＣＳ１へと送信する。
【０１０４】
ステップ３２１：フィードバックメッセージＦが、通知マネージャＮＭにより、第１のコンテンツサーバＣＳ１へと転送される。
【０１０５】
図３に描かれないステップにおいて、第１のコンテンツサーバＣＳ１は、第１の集約通知セットＳＡ１に反応したユーザＵの意図を履行するために、受信したフィードバックメッセージＦに返答する。非限定的一実施例では、第１のコンテンツサーバＣＳ１は、第１のコンテンツサーバＣＳ１によって提供されるコンテンツまたはサービスに対応する適切なソフトウェアアプリケーションを起動するために、第１の通信装置ＣＥ１と協働する。
【０１０６】
別の実施形態では、通知マネージャＮＭは、以下のステップに従い、第２の通信装置ＣＥ２と協働する。
【０１０７】
図３に描かれないステップにおいて、通知マネージャＮＭと第２の通信装置ＣＥ２の間に、第２の通信チャネルＣＨ２が確立される。インタフェースサービスＩＦは、第１の通信チャネルＣＨ１および第２の通信チャネルＣＨ２をそれぞれ管理する。
【０１０８】
図３に描かれない別のステップにおいて、第１の集約通知セットＳＡ１は、第２のチャネルＣＨ２を経由して、第２の通信装置ＣＥ２へと恒常的に送信される。前記送信は、インタフェースサービスＩＦによって達成される。
【０１０９】
図３に描かれないさらに他のステップにおいて、第２の通信装置ＣＥ２は、第１の集約通知セットＳＡ１を、第２のウィジェットを通じてユーザＵに提供する。次いで、ユーザＵは別の対話を開始する。この対話も同様に、別のイベントに変換される。その後、前記別のイベントは、別のフィードバックメッセージを通じ、適切なコンテンツサーバへと返送される。
【０１１０】
図３に描かれない別の実施形態では、適合サービスＡＤは、第１の通信装置ＣＥ１および第２の通信装置ＣＥ２のそれぞれに向けて、第１の集約通知セットＳＡ１を適合化する。ユーザＵの各通信装置に向けた第１の集約通知セットＳＡ１を特定的に適合化することは、各装置の特異性（それらのディスプレイに関する特性など）、または対話（対話ＩＴなど）生成用に利用可能な入力機構と整合するのに都合の良い場合がある。
【０１１１】
別の実施形態では、ステップ３２３において、第１の通信装置ＣＥ１が、第１の通知構成を、通知マネージャＮＭに提供する。前記第１の通知構成には、通知マネージャＮＭに向けた規則または命令が含まれる。非限定的一実施例では、第１の通知構成は、第１のコンテンツサーバＣＳ１によって配信された通知に関連する、ユーザＵからの加入命令を含む。
【０１１２】
別の非限定的実施例では、第１の通知構成は、第１の集約通知セットＳＡ１を適合化する規則を含む。非限定的一実施例では、第１の通知構成は、ユーザＵの利益となる第１の集約通知セットＳＡ１に関する通知を第１のウィジェットＷ１上に表示させるために、この第１のウィジェットＷ１を通じて、前記ユーザＵによって定義され得る。非限定的一実施例では、ユーザＵは、第１のコンテンツサーバＣＳ１からの通知にはアクセスし、第２のコンテンツサーバＣＳ２からの通知にはアクセスしないよう、第１のウィジェットＷ１から選択することができる。別の非限定的実施例では、ユーザＵは、第１のウィジェットＷ１によって管理されることになる、第１の集約通知セットＳＡ１からの通知を、コンテンツサーバごとに１つずつ選択することができる。
【０１１３】
別の実施形態では、適合サービスＡＤが第１の集約通知セットをフォーマットするステップ３０９において、第１の通知構成が使用される。
【０１１４】
同様に、別の実施形態では、ステップ３２５において、第２の通信装置ＣＥ２が、第２の通知構成を、通知マネージャＮＭに提供する。非限定的一実施例では、前記第２の通知構成は、第１の集約通知セットＳＡ１を適合させるために、適合サービスＡＤ向けの指示を含む。前記適合は、ユーザＵによって、第２のウィジェットを扱う第２の通信装置ＣＥ２を通じて決定される。非限定的一実施例では、ユーザＵは、第２のウィジェットによって処理されることになる、第１の集約通知セットＳＡ１からの通知の構成を定義することができる。
【０１１５】
別の非限定的実施例では、第２の通知構成は、ユーザＵが第２のコンテンツサーバＣＳ２からの第１の通知セットＳ２に関連する通知を待機しているかどうかを定義する。
【０１１６】
本発明は、ユーザ宛の種々の通知を集中化するための方法およびデバイスを提供するものである。
【０１１７】
通知マネージャＮＭは、第１のコンテンツサーバＣＳ１および第２のコンテンツサーバＣＳ２からのさまざまな通知を集中的に集める。異なるサービスからの通知が単一のネットワーク要素上に収集され、そこで集約されると有利である。このようなサービスは、ソーシャルメディアサービス、電話サービス、またはマルチメディアサービスとなり得る。
【０１１８】
通知マネージャＮＭは、サービスベンダからの実装ＡＰＩを使用することにより多種多様なプロトコルと相互接続することが可能な、柔軟性のある解決策を提供する。
【０１１９】
通知マネージャＮＭはまた、ユーザＵ宛の通知を集約し、それを前記ユーザＵによって操作されるデバイスに適合させる手段も提供する。通知マネージャＮＭが、通信装置のユーザに対する中心点となれば有利である。複数のサービスプロバイダと対話する代わりに、ユーザＵは自身のデバイスを簡便に操作して、同ユーザＵに対するフロントエンドとして機能する通知マネージャＮＭと協働する。その場合、通知マネージャＮＭは、さまざまなコンテンツサーバから通知を集める統一型機能を提供する。
【０１２０】
通知マネージャＮＭは、ユーザＵに通知を提供する第１のウィジェットＷ１用の集約通知を便宜よく準備する。前記第１のウィジェットＷ１は、通知を調べるための簡便な手段を提供する。第１のウィジェットＷ１は、その視認性がユーザＵにとって最適なものとなるように構成可能である。また、第１のウィジェットＷ１は、通知マネージャＮＭによって送信された集約通知が最も効率的になるように、コンテンツサーバからの通知の集約および適合化を構成することも可能にする。
【０１２１】
通知マネージャＮＭは、ユーザＵに限らず、他のユーザに対しても、通知の収集、集約、送信サービスを提供する。前記サービスは、通知を調べることのための統一型解決策を、他のユーザが簡便に利用することを可能にしている。
【０１２２】
また、第１のウィジェットＷ１により、ユーザＵは集約通知からの通知に簡単に反応できるようになる。第１のウィジェットＷ１と対話することにより、ユーザＵは、第１の集約通知セットＳＡ１から抽出された関心のある通知を受けて、当該コンテンツサーバへと返送されるイベントＥをシームレスにトリガすることができる。その場合、前記コンテンツサーバは、ユーザＵからの対話ＩＴに応答して、同ユーザＵの意図を完了する。
【０１２３】
有利には、第１のウィジェットＷ１が、通知に関する中心点、かつ通知に関連づけられたコンテンツサービスをトリガするための中心点となる。ユーザＵの通信装置からの種々のソフトウェアアプリケーションを使用する代わりに（つまり、コンテンツサービスごとに１つのソフトウェアアプリケーションを使用する代わりに）、ユーザＵは、さまざまなコンテンツサービスプロバイダからの通知の概要を得ることが可能になり、ジェスチャなどの単純な対話により、この通知に関連づけられたサービスを開始することが可能になる。
【図１】
2017517798.tif 000003
【図２】
2017517798.tif 000004
【図３】
2017517798.tif 000005
【国際調査報告】
2017517798.tif 000006
2017517798.tif 000007